(57)【特許請求の範囲】
【請求項１】
幅方向両側における表面に全長に亘って波型フランジを備えてなる無端状の主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる無端状の押さえベルトとからなり、前記主搬送ベルトは水平な搬入部と、この搬入部に下端が繋がる立ち上がり部と、この立ち上がり部の上端に一端が繋がる搬出部を備え、主搬送ベルトのキャリヤ側の搬入部と立ち上がり部との変角を主搬送ベルトの表側から波型フランジの外側で多数本の端ローラーで受けて支持することにより行なうとともに、主搬送ベルトのキャリヤ側の立ち上がり部と搬出部との変角を主搬送ベルトの裏側から多数本のフラットローラーで受けて支持することにより行ない、前記主搬送ベルトの搬入部から立ち上がり部への変角部に対応する押さえベルトの変角を押さえベルトの裏側から多数本のフラットローラーで受けて支持することにより行なうとともに、主搬送ベルトのキャリヤ側の立ち上がり部から搬出部への変角部に対応する押さえベルトの変角を押さえベルトの幅方向両側を端ローラーで受けることにより行ない、前記主搬送ベルトの上下の変角部に対して押さえベルトの上下の変角部が沿うように構成されてなり、前記主搬送ベルトの下側の変角部の端ローラー群と、この端ローラー群と対をなす押さえベルトのフラットローラー群とを別々にユニット化するとともに、主搬送ベルトの上側の変角部のフラットローラー群と、このフラットローラー群と対をなす押さえベルトの端ローラー群とを別々にユニット化してなるコンベヤー装置であって、前記各端ローラー群と各フラットローラー群はそれぞれがブラケットに支持されており、このブラケットとコンベヤー装置のフレームとの間にライナーを介在させて、主搬送ベルトや押さえベルトに対し面間調整可能に構成したことを特徴とするコンベヤー装置。
【発明の詳細な説明】
【０００１】
【発明の属する技術分野】
本発明は、砂、砂利、泥状物、産業廃棄物、ヘドロ状物質などの各種被搬送物を落下させることなく垂直を含む急傾斜搬送を可能にするコンベヤー装置に関するものである。
【０００２】
【従来の技術】
従来から無端状で幅方向両側における表面に全長に亘って波型フランジを備えてなる主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる同じく無端状の押さえベルトとからなるコンベヤー装置が知られている。
【０００３】
図３〜図５に基づきこの従来から知られているコンベヤー装置について説明すると、１は無端状の主搬送ベルトで、この主搬送ベルト１は幅方向両側における表面に全長に亘って波型フランジ２，２を備えている。３は前記主搬送ベルト１の両側の波型フランジ２，２間の空間部を閉じるとともに波型フランジ２，２間の空間部を主搬送ベルト１の長さ方向に等間隔おきに仕切るクリート４を表面に備えてなる同じく無端状の押さえベルトである。
【０００４】
前記主搬送ベルト１は水平な搬入部５と、垂直な立ち上がり部６と、立ち上がり部６の上端から緩やかな角度で上向きに傾斜する搬出部７を備え、上端のヘッドプーリー８と下端のテールプーリー９との間で無端環状に架け渡され、キャリヤ側の搬入部５と立ち上がり部６との変角を主搬送ベルト１の表側から波型フランジ２の外側で多数本の端ローラー１０で受けて支持することにより行ない、またキャリヤ側の立ち上がり部６と搬出部７との変角は主搬送ベルト１の裏側から多数本のフラットローラー１１で受けて支持することにより行なっている。なお、この主搬送ベルト１において、リターン側の搬出部７から立ち上がり部６への変角にはディスクプーリー１２が、リターン側の立ち上がり部６から搬入部５への変角にはベンドプーリー１３が、搬入部５の内側と立ち上がり部６の内側にはそれぞれキャリヤローラー１４，１５が配され、主搬送ベルト１は全体がほぼＺ型を呈している。
【０００５】
また、前記押さえベルト３は上端のヘッドプーリー１６と下端のテールプーリー１７との間で無端状に架け渡され、前記主搬送ベルト１の立ち上がり部６に対して押さえローラー１８により押し付けられている。さらに、前記主搬送ベルト１の搬入部５から立ち上がり部６への変角部に対応する押さえベルト３はフラットローラー１９で受けられ、主搬送ベルト１の立ち上がり部６から搬出部７への変角部に押さえベルト３が沿うようにその変角部における主搬送ベルト１の外側に被る押さえベルト３は幅方向両側部が端ローラー２０で受けられ、前記主搬送ベルト１の上下の変角部に対して押さえベルト３の上下の変角部が沿うように構成されている。
【０００６】
ところで、前記主搬送ベルト１の下側の変角部には端ローラー１０が、上側の変角部にはフラットローラー１１が設けられ、また押さえベルト３の下側の変角部には前記主搬送ベルト１側の端ローラー１０と対をなすフラットローラー１９が、押さえベルト３の上側の変角部には前記主搬送ベルト１側のフラットローラー１１と対をなす端ローラー２０が設けられ、端ローラー１０とフラットローラー１９、フラットローラー１１と端ローラー２０はそれぞれ１つのユニットとして組み立てられている（図４参照）。つまり、端ローラー１０とフラットローラー１９およびフラットローラー１１と端ローラー２０はそれぞれユニット状でコンベヤー装置に組み込まれている。
【０００７】
そして、このような構成のコンベヤー装置によれば、主搬送ベルト１の搬入部５に載せられた被搬送物は主搬送ベルト１と押さえベルト３との合わさり部から主搬送ベルト１が押さえベルト３によって閉じられるとともに、押さえベルト３に設けた前記クリート４によって主搬送ベルト１が長さ方向に等間隔おきに仕切られ、主搬送ベルト１と押さえベルト３が同期しながら駆動することから、被搬送物は主搬送ベルト１と押さえベルト３との間で包み込まれた状態で主搬送ベルト１の立ち上がり部６を上向きに搬送される。主搬送ベルト１の上端の搬出部７は押さえベルト３によって閉じられておらず、主搬送ベルト１の搬出部７の端部から被搬送物が送り出されるのである。
【０００８】
上記構成において、端ローラー１０とフラットローラー１９およびフラットローラー１１と端ローラー２０はそれぞれユニット状でコンベヤー装置に組み込まれているので、例えば主搬送ベルト１側の端ローラー１０あるいはフラットローラー１１を点検したり取り替える必要が生じたとき、点検や取り替えの必要のない押さえベルト３側のフラットローラー１９あるいは端ローラー２０の付いているユニットをそのままコンベヤー装置から取り外して作業を行なわねばならず、作業が大掛かりなものとなり、作業に掛かる費用が高くつくという問題があった。
【０００９】
【発明が解決しようとする課題】
本発明はこのような課題を解決するもので、主搬送ベルト側と押さえベルト側とで変角部におけるローラーの取り付け部を別々にユニット化し、点検や取り替えなどの作業を容易に行なえるようにすることを目的とするものである。
【００１０】
【課題を解決するための手段】
この課題を解決するために本発明は、幅方向両側における表面に全長に亘って波型フランジを備えてなる無端状の主搬送ベルトと、この主搬送ベルトの両側の波型フランジ間の空間部を閉じるとともに波型フランジ間の空間部を主搬送ベルトの長さ方向に等間隔おきに仕切るクリートを表面に備えてなる無端状の押さえベルトとからなり、前記主搬送ベルトは水平な搬入部と、この搬入部に下端が繋がる立ち上がり部と、この立ち上がり部の上端に一端が繋がる搬出部を備え、主搬送ベルトのキャリヤ側の搬入部と立ち上がり部との変角を主搬送ベルトの表側から波型フランジの外側で多数本の端ローラーで受けて支持することにより行なうとともに、主搬送ベルトのキャリヤ側の立ち上がり部と搬出部との変角を主搬送ベルトの裏側から多数本のフラットローラーで受けて支持することにより行ない、前記主搬送ベルトの搬入部から立ち上がり部への変角部に対応する押さえベルトの変角を押さえベルトの裏側から多数本のフラットローラーで受けて支持することにより行なうとともに、主搬送ベルトのキャリヤ側の立ち上がり部から搬出部への変角部に対応する押さえベルトの変角を押さえベルトの幅方向両側を端ローラーで受けることにより行ない、前記主搬送ベルトの上下の変角部に対して押さえベルトの上下の変角部が沿うように構成されてなり、前記主搬送ベルトの下側の変角部の端ローラー群と、この端ローラー群と対をなす押さえベルトのフラットローラー群とを別々にユニット化するとともに、主搬送ベルトの上側の変角部のフラットローラー群と、このフラットローラー群と対をなす押さえベルトの端ローラー群とを別々にユニット化してなるコンベヤー装置であって、前記各端ローラー群と各フラットローラー群はそれぞれがブラケットに支持されており、このブラケットとコンベヤー装置のフレームとの間にライナーを介在させて、主搬送ベルトや押さえベルトに対し面間調整可能に構成したことを要旨とするものである。
【００１１】
この構成により、主搬送ベルト側における変角部と押さえベルト側における変角部とでローラーの取り付け部を別々にユニット化しているので、前記従来例に比べて点検や取り替えなどの作業を容易に行なえる。
【００１２】
【発明の実施の形態】
以下、本発明の一実施の形態について、図面（図１〜図２）に基づいて説明する。なお図中、前記従来例と同一部材は同一符号で示し、その詳細説明は省略する。
【００１３】
図において、本実施の形態のコンベヤー装置は、前記主搬送ベルト１の下側の変角部の端ローラー１０群と、この端ローラー１０群と対をなす押さえベルト３のフラットローラー１９群とを別々にユニット化するとともに、主搬送ベルト１の上側の変角部のフラットローラー１１群と、このフラットローラー１１群と対をなす押さえベルト３の端ローラー２０群とを別々にユニット化してコンベヤー装置に組み込まれている。
【００１４】
さらに詳しくは、主搬送ベルト１の下側の変角部の端ローラー１０群はブラケット２１に片持ち状に支持されてユニット化されており、また上側の変角部のフラットローラー１１群は両側のブラケット２２間に支持されて、ユニット化されている。また、押さえベルト３の下側の変角部のフラットローラー１９群はブラケット２３間に支持されてユニット化され、押さえベルト３の上側の変角部の端ローラー２０群は押さえベルト３の幅方向両側の内面に当接するものであるので、ブラケット２４に片持ち状に支持されてユニット化されている。つまり、主搬送ベルト１側の端ローラー１０群と押さえベルト３側のフラットローラー１９群、主搬送ベルト１側のフラットローラー１１群と押さえベルト３側の端ローラー２０群はそれぞれが別々にユニット化されてコンベヤー装置に組み込まれている。ところで、前記端ローラー１０群、フラットローラー１１群およびフラットローラー１９群、端ローラー２０群はそれぞれ前記ブラケット２１、２２およびブラケット２３、２４がコンベヤー装置のフレーム２５に取り付けられて配設されるのであるが、各ブラケット２１、２２およびブラケット２３、２４とフレーム２５との間にライナー２６を介在させることにより主搬送ベルト１や押さえベルト３に対する面間調整を行なうことも可能である。また、具体的には図示されていないが、前記端ローラー１０群、フラットローラー１１群およびフラットローラー１９群、端ローラー２０群の各ローラーはブラケット２１、２２およびブラケット２３、２４に取り付けられた状態で最適な位置に微調整できるようになっている。なお、他の構成は前記従来例と同じであるため、その詳細説明は省略する。
【００１５】
上記構成において、主搬送ベルト１の下側の変角部の端ローラー１０群および上側の変角部のフラットローラー１１群ならびに押さえベルト３の下側の変角部のフラットローラー１９群および上側の変角部の端ローラー２０群の何れかに点検したり取り替える必要が生じたとき、それぞれ単独でコンベヤー装置から取り外して作業をすれば良い。
【００１６】
ところで、図面に示す実施の形態では、主搬送ベルト１のキャリヤ側の立ち上がり部６と搬出部７との間の変角部が１箇所であるが、主搬送ベルト１のキャリヤ側の立ち上がり部６と搬出部７との間の変角部が下部変角部と上部変角部の２箇所存在するようなコンベヤー装置にも実施できる。なお、その場合、主搬送ベルト１のキャリヤ側の立ち上がり部６と搬出部７との間の変角部の内、下部変角部において上記したユニット化を採用し、上部変角部については１本のベンドプーリーで支持するようにすれば良い。
【００１７】
【発明の効果】
以上のように本発明によれば、主搬送ベルト側における変角部と押さえベルト側における変角部とでローラーの取り付け部を別々にユニット化しているので、前記従来例に比べて点検や取り替えなどの作業を容易に行なえる。
【図面の簡単な説明】
【図１】本発明の一実施の形態におけるコンベヤー装置の要部拡大側面図である。
【図２】同コンベヤー装置の要部拡大断面図である。
【図３】従来例におけるコンベヤー装置の側面図である。
【図４】同コンベヤー装置の要部拡大側面図である。
【図５】同コンベヤー装置の要部拡大斜視図である。
【符号の説明】
１          主搬送ベルト
３          押さえベルト
６          立ち上がり部
１０          端ローラー
１１          フラットローラー
１９          フラットローラー
２０          端ローラー
２１，２２    ブラケット
２３，２４    ブラケット
【図１】
0003770839.tif 000002
【図２】
0003770839.tif 000003
【図３】
0003770839.tif 000004
【図４】
0003770839.tif 000005
【図５】
0003770839.tif 000006